(57)【要約】【課題】本体を物品に対して円滑かつ正確に取り付けることができる自鳴式盗難防止タグ、及び、これを用いた盗難防止システムを提供する。【解決手段】物品に取り付けられる盗難防止タグ１の本体に、非監視状態から監視状態に切り替えるために操作されるセットスイッチ１２と、本体が物品に取り付けられたときにオン状態となり、本体が物品に取り付けられていないときにオフ状態となるセンサスイッチ１３とを設ける。セットスイッチ１２が操作された後、所定時間が経過した時点でセンサスイッチ１３がオン状態であるか否かに基づいて、取付状態判定部１４１が物品に対する本体の取付状態を判定する。【選択図】  図３
2018097699.tif 000002
【特許請求の範囲】
【請求項１】
物品に取り付けられる本体と、
前記本体に設けられ、非監視状態から監視状態に切り替えるために操作されるセットスイッチと、
前記本体に設けられ、前記本体が物品に取り付けられたときにオン状態となり、前記本体が物品に取り付けられていないときにオフ状態となるセンサスイッチと、
監視状態において前記センサスイッチがオン状態からオフ状態に切り替わった場合に、アラーム音を出力するアラーム出力部と、
前記セットスイッチが操作された後、所定時間が経過した時点で前記センサスイッチがオン状態であるか否かに基づいて、物品に対する前記本体の取付状態を判定する取付状態判定部とを備えることを特徴とする自鳴式盗難防止タグ。
【請求項２】
前記セットスイッチが操作された後、所定時間が経過した時点で前記センサスイッチがオン状態である場合に、非監視状態から監視状態に切り替える監視状態切替部をさらに備えることを特徴とする請求項１に記載の自鳴式盗難防止タグ。
【請求項３】
前記アラーム出力部は、前記セットスイッチが操作された後、所定時間が経過した時点で前記センサスイッチがオフ状態である場合に、アラーム音を出力することを特徴とする請求項１又は２に記載の自鳴式盗難防止タグ。
【請求項４】
前記アラーム出力部は、前記セットスイッチが操作された後、前記所定時間が経過する前に前記セットスイッチが再度操作された場合には、前記所定時間が経過した時点で前記センサスイッチがオフ状態であってもアラーム音を出力しないことを特徴とする請求項３に記載の自鳴式盗難防止タグ。
【請求項５】
前記本体は、物品に取り付けられた状態で当該物品に対向する対向面を有しており、
前記セットスイッチ及び前記センサスイッチは、前記対向面に設けられていることを特徴とする請求項１〜４のいずれか一項に記載の自鳴式盗難防止タグ。
【請求項６】
請求項１〜５のいずれか一項に記載の自鳴式盗難防止タグと、
前記自鳴式盗難防止タグに対して無線信号を発信する発信装置とを含み、
前記発信装置は、前記自鳴式盗難防止タグを非監視状態から監視状態に切り替えるためのセット信号を発信するセット信号発信部を備えることを特徴とする盗難防止システム。
【請求項７】
前記セットスイッチが操作されることなく前記自鳴式盗難防止タグの前記本体が物品に取り付けられ、前記センサスイッチがオン状態のまま前記セット信号発信部からセット信号が発信された場合に、前記自鳴式盗難防止タグが非監視状態から監視状態に切り替わることを特徴とする請求項６に記載の盗難防止システム。
【請求項８】
前記発信装置は、前記アラーム出力部によるアラーム音の出力を停止させるためのリセット信号を発信するリセット信号発信部をさらに備えることを特徴とする請求項６又は７に記載の盗難防止システム。
【発明の詳細な説明】
【技術分野】
【０００１】
本発明は、物品に取り付けられ、物品の盗難を防止するためにアラーム音を出力可能な自鳴式盗難防止タグ、及び、これを用いた盗難防止システムに関するものである。
【背景技術】
【０００２】
従来から、物品の盗難を防止するために自鳴式盗難防止タグが用いられている。この種の盗難防止タグは、物品に取り付けられた上で非監視状態から監視状態に切り替えられることにより、その後に監視状態のまま盗難防止タグを物品から取り外そうとした場合には、盗難防止タグの本体からアラーム音が出力されるようになっている。
【０００３】
具体的には、盗難防止タグの本体には、本体が物品に取り付けられたときにオン状態となり、本体が物品に取り付けられていないときにオフ状態となるセンサスイッチが設けられている。盗難防止タグの本体を物品に取り付けることによりセンサスイッチをオン状態とした後、非監視状態から監視状態に切り替えることにより、アラーム音が出力可能な状態となる。その後、監視状態のまま盗難防止タグを物品から取り外そうとすることにより、センサスイッチがオン状態からオフ状態に切り替わった場合には、アラーム音が出力されることにより、物品の盗難を防止することができる。
【０００４】
上記のような非監視状態から監視状態への切り替えは、例えば発信装置（リモートコントローラ）を用いて無線信号を発信することにより行うことができる。しかしながら、発信装置を用いなければ非監視状態から監視状態への切り替えを行うことができないような構成では、物品に対する盗難防止タグの取り付け作業を円滑に行うことができない場合がある。
【０００５】
そこで、盗難防止タグの中には、非監視状態から監視状態に切り替えるためのセットスイッチが、センサスイッチとは別に設けられているものがある（例えば、下記特許文献１参照）。この種の盗難防止タグでは、盗難防止タグの本体を物品に取り付けることによりセンサスイッチをオン状態とした後、セットスイッチを操作して非監視状態から監視状態に切り替えることができるように、センサスイッチとセットスイッチとが本体における異なる面に設けられている。
【先行技術文献】
【特許文献】
【０００６】
【特許文献１】特開２００９−３０１３８４号公報
【発明の概要】
【発明が解決しようとする課題】
【０００７】
しかしながら、上記のような従来の盗難防止タグでは、本体が物品に対して取り付けられているか否か、すなわちセンサスイッチがオフ状態からオン状態に切り替わっているか否かを確認することができない。そのため、本体が物品に対して正確に取り付けられていない状態のままとなる場合があり、円滑かつ正確な取り付けを行うことができないおそれがあった。
【０００８】
本発明は、上記実情に鑑みてなされたものであり、本体を物品に対して円滑かつ正確に取り付けることができる自鳴式盗難防止タグ、及び、これを用いた盗難防止システムを提供することを目的とする。
【課題を解決するための手段】
【０００９】
（１）本発明に係る自鳴式盗難防止タグは、本体と、セットスイッチと、センサスイッチと、アラーム出力部と、取付状態判定部とを備える。前記本体は、物品に取り付けられる。前記セットスイッチは、前記本体に設けられ、非監視状態から監視状態に切り替えるために操作される。前記センサスイッチは、前記本体に設けられ、前記本体が物品に取り付けられたときにオン状態となり、前記本体が物品に取り付けられていないときにオフ状態となる。前記アラーム出力部は、監視状態において前記センサスイッチがオン状態からオフ状態に切り替わった場合に、アラーム音を出力する。前記取付状態判定部は、前記セットスイッチが操作された後、所定時間が経過した時点で前記センサスイッチがオン状態であるか否かに基づいて、物品に対する前記本体の取付状態を判定する。
【００１０】
このような構成によれば、セットスイッチが操作された後、所定時間が経過した時点でセンサスイッチがオン状態であるか否かに基づいて、本体が物品に対して正確に取り付けられているか否かを判定することができる。すなわち、セットスイッチを操作した上で、所定時間が経過するまでに本体を物品に取り付け、センサスイッチがオン状態となれば、本体が物品に対して正確に取り付けられていると判定される。このように、セットスイッチを操作した上で本体を物品に取り付けるという作業を行うだけで、本体が物品に対して正確に取り付けられているか否かを判定することができるため、本体を物品に対して円滑かつ正確に取り付けることができる。
【００１１】
（２）前記自鳴式盗難防止タグは、前記セットスイッチが操作された後、所定時間が経過した時点で前記センサスイッチがオン状態である場合に、非監視状態から監視状態に切り替える監視状態切替部をさらに備えていてもよい。
【００１２】
このような構成によれば、セットスイッチが操作された後、所定時間が経過した時点でセンサスイッチがオン状態である場合に、本体が物品に対して正確に取り付けられていると判定されて、非監視状態から監視状態に切り替えられる。したがって、その後に監視状態のまま本体を物品から取り外そうとすることにより、センサスイッチがオン状態からオフ状態に切り替わった場合には、アラーム音が出力されることにより、物品の盗難を防止することができる。
【００１３】
（３）前記アラーム出力部は、前記セットスイッチが操作された後、所定時間が経過した時点で前記センサスイッチがオフ状態である場合に、アラーム音を出力することが好ましい。
【００１４】
このような構成によれば、セットスイッチが操作された後、所定時間が経過した時点でセンサスイッチがオフ状態である場合に、本体が物品に対して正確に取り付けられていないと判定されて、アラーム音が出力される。したがって、本体が物品に対して正確に取り付けられていない状態のまま放置されることがない。
【００１５】
（４）前記アラーム出力部は、前記セットスイッチが操作された後、前記所定時間が経過する前に前記セットスイッチが再度操作された場合には、前記所定時間が経過した時点で前記センサスイッチがオフ状態であってもアラーム音を出力しないことが好ましい。
【００１６】
このような構成によれば、セットスイッチを誤って操作した場合や、セットスイッチを操作した後に物品に対する本体の取り付け作業を中止する場合などには、セットスイッチを再度操作することにより、アラーム音が出力されるのを阻止することができる。したがって、本体を物品に対してより円滑に取り付けることができる。
【００１７】
（５）前記本体は、物品に取り付けられた状態で当該物品に対向する対向面を有していてもよい。この場合、前記セットスイッチ及び前記センサスイッチは、前記対向面に設けられていることが好ましい。
【００１８】
このような構成によれば、本体が物品に対して取り付けられることにより、本体の対向面に設けられたセンサスイッチがオン状態となった後は、センサスイッチと同じく対向面に設けられたセットスイッチを操作することができない。したがって、本体が物品に対して取り付けられた後に、セットスイッチが不正に操作されることを防止できる。
【００１９】
（６）また、本発明に係る盗難防止システムは、前記自鳴式盗難防止タグと、前記自鳴式盗難防止タグに対して無線信号を発信する発信装置とを含む。前記発信装置は、前記自鳴式盗難防止タグを非監視状態から監視状態に切り替えるためのセット信号を発信するセット信号発信部を備える。
【００２０】
このような構成によれば、自鳴式盗難防止タグに設けられたセットスイッチを操作するだけでなく、発信装置に備えられたセット信号発信部からセット信号を発信させることによっても非監視状態から監視状態に切り替えることができる。
【００２１】
（７）前記セットスイッチが操作されることなく前記自鳴式盗難防止タグの前記本体が物品に取り付けられ、前記センサスイッチがオン状態のまま前記セット信号発信部からセット信号が発信された場合に、前記自鳴式盗難防止タグが非監視状態から監視状態に切り替わってもよい。
【００２２】
セットスイッチ及びセンサスイッチがいずれも本体の対向面に設けられている場合、セットスイッチを操作しないまま本体が物品に取り付けられたときには、本体を物品から取り外さなければセットスイッチを操作することができないが、このような場合でも、発信装置を用いて非監視状態から監視状態に切り替えることができるため、本体を物品に対してより円滑に取り付けることができる。
【００２３】
（８）前記発信装置は、前記アラーム出力部によるアラーム音の出力を停止させるためのリセット信号を発信するリセット信号発信部をさらに備えていてもよい。
【００２４】
このような構成によれば、リセット信号発信部からリセット信号を発信させることにより、アラーム音の出力を容易に停止させることができる。
【発明の効果】
【００２５】
本発明によれば、セットスイッチを操作した上で本体を物品に取り付けるという作業を行うだけで、本体が物品に対して正確に取り付けられているか否かを判定することができるため、本体を物品に対して円滑かつ正確に取り付けることができる。
【図面の簡単な説明】
【００２６】
【図１】本発明の一実施形態に係る盗難防止システムの構成例を示した概略図である。
【図２】物品に対する盗難防止タグの取付状態を示した側面図である。
【図３】盗難防止システムの電気的構成の一例を示したブロック図である。
【図４】物品に盗難防止タグが取り付けられる際の制御部による処理の一例を示したフローチャートである。
【発明を実施するための形態】
【００２７】
１．盗難防止システムの構成
図１は、本発明の一実施形態に係る盗難防止システムの構成例を示した概略図である。この盗難防止システムは、物品の盗難を防止するために物品に取り付けられる盗難防止タグ１と、盗難防止タグ１に対して無線信号を発信する発信装置２とを備えている。盗難防止タグ１は、いわゆる自鳴式盗難防止タグであり、物品から取り外そうとした場合にアラーム音を出力することにより、物品の盗難を防止することができる。
【００２８】
盗難防止タグ１は、物品に取り付けられる本体１１と、本体１１に設けられたセットスイッチ１２及びセンサスイッチ１３を備えている。本体１１は、例えば中空状のケースからなり、内部に回路基板（図示せず）が収容されている。セットスイッチ１２及びセンサスイッチ１３は、本体１１における第１の面１１１に設けられており、本体１１の外部から操作されることにより、上記回路基板に備えられた接点をオン状態又はオフ状態に切り替えることができる。
【００２９】
セットスイッチ１２は、例えば本体１１の第１の面１１１の一部に切込みが形成されることにより、本体１１の一部が弾性変形可能なスイッチとして構成されている。したがって、セットスイッチ１２は、本体１１の第１の面１１１から突出しておらず、第１の面１１１に外側から物品が接触しても変位することはない。このセットスイッチ１２を操作することにより、アラーム音を出力可能でない非監視状態から、アラーム音を出力可能な監視状態に切り替えることができる。セットスイッチ１２は、操作した後に指を離してもオン状態が保持され、操作するたびにオン状態又はオフ状態に交互に切り替わるオルタネイト方式のスイッチにより構成されている。ただし、セットスイッチ１２は、オルタネイト方式のスイッチに限らず、操作した後に指を離すとオフ状態になるモーメンタリ方式のスイッチにより構成されていてもよい。この場合、セットスイッチ１２を操作してオン状態とすることによりタイマ（図示せず）が計時を開始してセット準備がスタートし、所定時間が経過した時点でセンサスイッチ１３がオン状態であれば監視状態となるような構成であってもよい。また、タイマが計時を開始してセット準備がスタートした後、所定時間が経過する前にセンサスイッチ１３が操作されてオフ状態となれば、セット準備が停止されるような構成であってもよい。
【００３０】
一方、センサスイッチ１３は、本体１１の第１の面１１１から突出しており、本体１１が物品に取り付けられていないときのように外力が加わらなければ、突出した状態（オフ状態）が維持されるように、外側に向かって付勢されている。センサスイッチ１３は、本体１１が物品に取り付けられることにより第１の面１１１に外側から物品が接触した状態で、本体１１内に向かって変位し、これによりオン状態となる。センサスイッチ１３は、操作しているときだけオン状態となり、操作した後に指を離すとオフ状態になるモーメンタリ方式のスイッチにより構成されている。ただし、センサスイッチ１３は、上記のようなノーマルオープンのＡ接点に限らず、ノーマルクローズのＢ接点であってもよい。この場合であっても、接点の変化を制御部１４（図３参照）で検出することにより、センサスイッチ１３の本体１１が物品に取り付けられたとき（接点がオープンのとき）にオン状態と判断し、本体１１が物品に取り付けられていないとき（接点がクローズのとき）にオフ状態と判断すればよい。
【００３１】
発信装置２は、盗難防止タグ１とは分離して設けられた本体２１と、本体２１に設けられたセットボタン２２、リセットボタン２３及びランプ２４を備えている。発信装置２は、いわゆるリモートコントローラであり、盗難防止タグ１に対する遠隔操作によって、盗難防止タグ１を非監視状態から監視状態に切り替えたり、盗難防止タグ１におけるアラーム音の出力を停止させたりすることができる。
【００３２】
具体的には、セットボタン２２を操作することにより、盗難防止タグ１を非監視状態から監視状態に切り替えることができる。また、リセットボタン２３を操作することにより、盗難防止タグ１におけるアラーム音の出力を停止させることができる。セットボタン２２又はリセットボタン２３が操作されたときには、発信装置２から無線信号が発信されるとともに、ランプ２４の点灯によって無線信号を発信中である旨が表示される。
【００３３】
２．盗難防止タグの取付状態
図２は、物品３に対する盗難防止タグ１の取付状態を示した側面図である。盗難防止タグ１を物品３に取り付ける際には、図２に示すように、本体１１の第１の面１１１を物品３の表面３１に対向させ、当該表面３１に当接させる。そして、例えば透明な粘着テープなどの固定部材４を用いて、盗難防止タグ１と物品３を強固に固定することにより、盗難防止タグ１が物品３に取り付けられる。
【００３４】
このように、本体１１の第１の面１１１は、本体１１が物品３に取り付けられた状態で物品３に対向する対向面を構成している。セットスイッチ１２及びセンサスイッチ１３は、いずれも対向面としての第１の面１１１に設けられているため、盗難防止タグ１が物品３に取り付けられた状態では、セットスイッチ１２及びセンサスイッチ１３を操作することができないようになっている。
【００３５】
図２に示すように、盗難防止タグ１が物品３に取り付けられた状態では、本体１１の第１の面１１１から突出していたセンサスイッチ１３が本体１１内に収容された状態となり、センサスイッチ１３がオン状態のまま維持される。この状態で、例えば固定部材４が取り除かれて盗難防止タグ１が物品３から不正に取り外された場合には、センサスイッチ１３が付勢力によって本体１１から再び突出し、オフ状態となる。
【００３６】
３．盗難防止システムの電気的構成
図３は、盗難防止システムの電気的構成の一例を示したブロック図である。盗難防止タグ１は、セットスイッチ１２及びセンサスイッチ１３の他に、本体１１内に収容された回路基板により構成される制御部１４を備えている。盗難防止タグ１の制御部１４は、回路基板に実装された電子部品の動作により、例えば取付状態判定部１４１、監視状態切替部１４２、アラーム出力部１４３及び受信部１４４などとして機能する。
【００３７】
取付状態判定部１４１は、物品３に対する本体１１の取付状態を判定する。具体的には、セットスイッチ１２が操作されてオン状態となった後、所定時間が経過した時点でセンサスイッチ１３がオン状態であるか否かに基づいて、物品３に対する本体１１の取付状態を判定する。すなわち、セットスイッチ１２が操作されてオン状態となった後、所定時間が経過した時点で、図２に示すようにセンサスイッチ１３がオン状態であれば、物品３に本体１１が取り付けられていると判定され、センサスイッチ１３がオフ状態であれば、物品３に本体１１が取り付けられていないと判定する。
【００３８】
監視状態切替部１４２は、盗難防止タグ１を非監視状態と監視状態との間で切り替える。具体的には、取付状態判定部１４１により物品３に本体１１が取り付けられていると判定されたときに、監視状態切替部１４２が非監視状態から監視状態に切り替える。すなわち、セットスイッチ１２が操作されてオン状態となった後、所定時間が経過した時点で、図２に示すようにセンサスイッチ１３がオン状態であれば、非監視状態から監視状態に切り替えられることにより、アラーム音を出力可能な状態となる。
【００３９】
アラーム出力部１４３は、例えばスピーカ（図示せず）に電気信号を入力することにより、アラーム音を出力させる。具体的には、盗難防止タグ１が物品３から不正に取り外されることにより、監視状態においてセンサスイッチ１３がオン状態からオフ状態に切り替わった場合に、アラーム出力部１４３がアラーム音を出力させる。また、物品３に本体１１を取り付ける際、セットスイッチ１２が操作されてオン状態となった後、所定時間が経過した時点でセンサスイッチ１３がオフ状態である場合、すなわち図２のようにセンサスイッチ１３が本体１１内に押し込まれた状態となっていなければ、アラーム出力部１４３がアラーム音を出力させる。
【００４０】
受信部１４４は、発信装置２から発信される無線信号を受信する。盗難防止タグ１を非監視状態から監視状態に切り替えるためのセット信号（後述する）を受信部１４４が発信装置２から受信した場合には、監視状態切替部１４２が非監視状態から監視状態に切り替える。また、アラーム出力部１４３によりアラーム音を出力させているときに、アラーム音を停止させるためのリセット信号（後述する）を受信部１４４が発信装置２から受信した場合には、アラーム出力部１４３がアラーム音の出力を停止させる。
【００４１】
発信装置２は、セットボタン２２、リセットボタン２３及びランプ２４の他に、本体２１内に収容された回路基板により構成される制御部２５を備えている。発信装置２の制御部２５は、回路基板に実装された電子部品の動作により、例えば発信部２５１及びランプ制御部２５２などとして機能する。発信部２５１には、セット信号発信部２５３及びリセット信号発信部２５４が含まれる。
【００４２】
セット信号発信部２５３は、セットボタン２２が操作された場合に、盗難防止タグ１を非監視状態から監視状態に切り替えるためのセット信号を発信する。リセット信号発信部２５４は、リセットボタン２３が操作された場合に、盗難防止タグ１のアラーム出力部１４３によるアラーム音の出力を停止させるためのリセット信号を発信する。これらのセット信号及びリセット信号は、無線信号として盗難防止タグ１の受信部１４４により受信される。
【００４３】
ランプ制御部２５２は、ランプ２４の点灯状態を制御する。具体的には、セット信号発信部２５３からセット信号が発信されているときや、リセット信号発信部２５４からリセット信号が発信されているときなどのように、発信部２５１から無線信号が発信されているときに、ランプ制御部２５２がランプ２４を点灯させる。
【００４４】
４．取付時の制御動作
図４は、物品３に盗難防止タグ１が取り付けられる際の制御部１４による処理の一例を示したフローチャートである。物品３に盗難防止タグ１を取り付ける際には、まず、セットスイッチ１２が操作されることによりオン状態とされる（ステップＳ１０１）。その後、所定時間（例えば１５秒）が経過するまでの間は、セットスイッチ１２が再度操作されてオフ状態とされるか否かが監視される（ステップＳ１０２，Ｓ１０３）。
【００４５】
セットスイッチ１２が再度操作されることなく所定時間が経過した場合には（ステップＳ１０２でＹｅｓ）、その時点でセンサスイッチ１３がオン状態であれば（ステップＳ１０４でＹｅｓ）、監視状態切替部１４２が非監視状態から監視状態に切り替える（ステップＳ１０５）。一方、所定時間が経過した時点でセンサスイッチ１３がオフ状態であれば（ステップＳ１０４でＮｏ）、アラーム出力部１４３がアラーム音を出力する（ステップＳ１０６）。
【００４６】
なお、所定時間が経過する前にセットスイッチ１２が再度操作されてオフ状態とされた場合には（ステップＳ１０３でＹｅｓ）、所定時間が経過した時点でセンサスイッチ１３がオフ状態であってもアラーム音は出力されない。
【００４７】
５．作用効果
（１）本実施形態では、セットスイッチ１２が操作された後（ステップＳ１０１でＹｅｓ）、所定時間が経過した時点でセンサスイッチ１３がオン状態であるか否かに基づいて（ステップＳ１０２，Ｓ１０４）、本体１１が物品３に対して正確に取り付けられているか否かを判定することができる。すなわち、セットスイッチ１２を操作した上で、所定時間が経過するまでに本体１１を物品３に取り付け、図２のようにセンサスイッチ１３がオン状態となれば、本体１１が物品３に対して正確に取り付けられていると判定される。このように、セットスイッチ１２を操作した上で本体１１を物品３に取り付けるという作業を行うだけで、本体１１が物品３に対して正確に取り付けられているか否かを判定することができるため、本体１１を物品３に対して円滑かつ正確に取り付けることができる。
【００４８】
（２）本実施形態では、セットスイッチ１２が操作された後（ステップＳ１０１でＹｅｓ）、所定時間が経過した時点でセンサスイッチ１３がオン状態である場合に（ステップＳ１０２でＹｅｓ、ステップＳ１０４でＹｅｓ）、本体１１が物品３に対して正確に取り付けられていると判定されて、非監視状態から監視状態に切り替えられる（ステップＳ１０５）。したがって、その後に監視状態のまま本体１１を物品３から取り外そうとすることにより、センサスイッチ１３がオン状態からオフ状態に切り替わった場合には、アラーム音が出力されることにより、物品の盗難を防止することができる。
【００４９】
（３）本実施形態では、セットスイッチ１２が操作された後（ステップＳ１０１でＹｅｓ）、所定時間が経過した時点でセンサスイッチ１３がオフ状態である場合に（ステップＳ１０２でＹｅｓ、ステップＳ１０４でＮｏ）、本体１１が物品３に対して正確に取り付けられていないと判定されて、アラーム音が出力される（ステップＳ１０６）。したがって、本体１１が物品３に対して正確に取り付けられていない状態のまま放置されることがない。
【００５０】
（４）本実施形態では、セットスイッチ１２を誤って操作した場合や、セットスイッチ１２を操作した後に物品３に対する本体１１の取り付け作業を中止する場合などには、セットスイッチ１２を再度操作することにより（ステップＳ１０３でＹｅｓ）、アラーム音が出力されるのを阻止することができる。したがって、本体１１を物品３に対してより円滑に取り付けることができる。
【００５１】
（５）本実施形態では、本体１１が物品３に対して取り付けられることにより、図２のように本体１１の第１の面１１１に設けられたセンサスイッチ１３がオン状態となった後は、センサスイッチ１３と同じく第１の面１１１に設けられたセットスイッチ１２を操作することができない。したがって、本体１１が物品３に対して取り付けられた後に、セットスイッチ１２が不正に操作されることを防止できる。
【００５２】
（６）本実施形態では、盗難防止タグ１に設けられたセットスイッチ１２を操作するだけでなく、発信装置２のセットボタン２２を操作してセット信号発信部２５３からセット信号を発信させることによっても非監視状態から監視状態に切り替えることができる。セットスイッチ１２及びセンサスイッチ１３がいずれも本体１１の第１の面１１１に設けられている場合、セットスイッチ１２を操作しないまま本体１１が物品３に取り付けられたときには、本体１１を物品３から取り外さなければセットスイッチ１２を操作することができないが、このような場合でも、発信装置２を用いて非監視状態から監視状態に切り替えることができるため、本体１１を物品３に対してより円滑に取り付けることができる。
【００５３】
（７）また、本実施形態では、発信装置２のリセットボタン２３を操作してリセット信号発信部２５４からリセット信号を発信させることにより、アラーム音の出力を容易に停止させることができる。
【００５４】
６．変形例
以上の実施形態では、所定時間が経過する前にセットスイッチ１２が再度操作されてオフ状態とされた場合には（ステップＳ１０３でＹｅｓ）、所定時間が経過した時点でセンサスイッチ１３がオフ状態であってもアラーム音は出力されないという構成について説明した。しかし、このような構成に限らず、所定時間が経過する前にセットスイッチ１２が再度操作されたとしても、所定時間が経過した時点でセンサスイッチ１３がオフ状態であればアラーム音が出力されるような構成であってもよい。
【００５５】
また、セットスイッチ１２及びセンサスイッチ１３は、いずれも本体１１の第１の面１１１に設けられた構成に限らず、セットスイッチ１２が第１の面１１１以外の面に設けられた構成であってもよい。
【符号の説明】
【００５６】
１      盗難防止タグ
２      発信装置
３      物品
４      固定部材
１１    本体
１２    セットスイッチ
１３    センサスイッチ
１４    制御部
２１    本体
２２    セットボタン
２３    リセットボタン
２４    ランプ
２５    制御部
３１    表面
１１１  第１の面（対向面）
１４１  取付状態判定部
１４２  監視状態切替部
１４３  アラーム出力部
１４４  受信部
２５１  発信部
２５２  ランプ制御部
２５３  セット信号発信部
２５４  リセット信号発信部
【図１】
2018097699.tif 000003
【図２】
2018097699.tif 000004
【図３】
2018097699.tif 000005
【図４】
2018097699.tif 000006